(57)【特許請求の範囲】
【請求項１】
電子部品が組み付けられる第１の筐体と、
前記第１の筐体の鉛直方向下側に取り付けられる第２の筐体と、
前記第１の筐体と前記第２の筐体とのうちの少なくとも一方に設けられ、かつ前記電子部品に電気的に接続される電線を通す電線通し孔と、
前記第１の筐体に設けられ、かつ前記電線通し孔を通して液体が浸入することを抑制するカバー部と、
前記第２の筐体に設けられ、かつ前記第１の筐体に前記第２の筐体が組み付けられる際に前記カバー部を前記第２の筐体に対して鉛直方向に案内するガイド部と、
前記第２の筐体に設けられ、かつ前記第１の筐体に設けられた被係止部に係止して前記第１の筐体に前記第２の筐体を組み付ける係止部と、
前記ガイド部から前記第２の筐体の外側に突出し、かつ前記カバー部が乗り上げると前記係止部が前記被係止部に係止することを規制する規制突起と、を備えることを特徴とする、
電気接続箱。
【請求項２】
前記ガイド部及び前記係止部は、前記第２の筐体の角部の近傍に設けられる、
請求項１に記載の電気接続箱。
【請求項３】
前記規制突起の前記ガイド部からの突出量は、前記第１の筐体に前記第２の筐体が組み付けられた際に、前記被係止部に対して前記係止部が鉛直方向に直交する方向に移動可能な量よりも大きい、
請求項１又は請求項２に記載の電気接続箱。
【請求項４】
前記ガイド部は、前記電線通し孔を挟む位置それぞれに設けられ、
前記規制突起は、各ガイド部から前記第２の筐体の外側に突出する、
請求項１から請求項３のうちいずれか一項に記載の電気接続箱。
【請求項５】
電子部品が組み付けられる第１の筐体と、前記第１の筐体の鉛直方向下側に組み付けられる第２の筐体と、前記第１の筐体と前記第２の筐体とのうちの少なくとも一方に設けられ、かつ前記電子部品に電気的に接続される電線を通す電線通し孔と、前記第１の筐体に設けられ、かつ前記電線通し孔を通して液体が浸入することを抑制するカバー部と、を備えた電気接続箱と、
前記電線と、を備え、
前記電気接続箱は、
前記第２の筐体に設けられ、かつ前記第１の筐体に前記第２の筐体が組み付けられる際に前記カバー部を前記第２の筐体に対して鉛直方向に案内するガイド部と、
前記第２の筐体に設けられ、かつ前記第１の筐体に設けられた被係止部に係止して前記第１の筐体に前記第２の筐体を組み付ける係止部と、
前記ガイド部から前記第２の筐体の外側に突出し、かつ前記カバー部が乗り上げると前記係止部が前記被係止部に係止することを規制する規制突起と、を備えることを特徴とする、
ワイヤハーネス。
【発明の詳細な説明】
【技術分野】
【０００１】
本発明は、電気接続箱及びワイヤハーネスに関する。
【背景技術】
【０００２】
自動車等の車両には、バッテリなどの電源からの電力を各電子機器に分配する電気接続箱が搭載されている。この種の電気接続箱として、各種の電子部品が組み付けられる箱本体と、前記箱本体に組み付けられる電子部品に電気的に接続される電線を通す電線通し孔を設けたものが用いられている。この種の電気接続箱は、鉛直方向に積層されて箱本体を構成する第１の筐体と第２の筐体との少なくとも一方に電線通し孔を設けている。
【先行技術文献】
【特許文献】
【０００３】
【特許文献１】特開２０００−２３６６１１号公報
【特許文献２】特開２００８−９２７６５号公報
【特許文献３】特開２００６−１４９０６９号公報
【発明の概要】
【発明が解決しようとする課題】
【０００４】
ところで、上述の特許文献１〜３に記載の電気接続箱は、電線通し孔を鉛直方向下側に配置される第２の筐体に設け、電線通し孔を通して箱本体に水などの液体が浸入することを抑制するカバー部を第１の筐体に設けることがある。この場合、第２の筐体の電線通し孔の両脇にカバー部を案内するガイド部を設け、カバー部をガイド部で案内して、第１の筐体と第２の筐体とを種々の係止構造で組み付ける。しかしながら、電気接続箱は、例えば、カバー部がガイド部から外れた状態では、係止機構により第１の筐体と第２の筐体とが組み付けられないような構成が望まれる。
【０００５】
本発明は、上記の事情に鑑みてなされたものであって、電線通し孔に液体が浸入することを抑制するカバー部がガイド部から外れた状態では、筐体同士が組み付けられることを抑制することができる電気接続箱及びワイヤハーネスを提供することを目的とする。
【課題を解決するための手段】
【０００６】
上記目的を達成するために、本発明に係る電気接続箱は、電子部品が組み付けられる第１の筐体と、前記第１の筐体の鉛直方向下側に取り付けられる第２の筐体と、前記第１の筐体と前記第２の筐体とのうちの少なくとも一方に設けられ、かつ前記電子部品に電気的に接続される電線を通す電線通し孔と、前記第１の筐体に設けられ、かつ前記電線通し孔を通して液体が浸入することを抑制するカバー部と、前記第２の筐体に設けられ、かつ前記第１の筐体に前記第２の筐体が組み付けられる際に前記カバー部を前記第２の筐体に対して鉛直方向に案内するガイド部と、前記第２の筐体に設けられ、かつ前記第１の筐体に設けられた被係止部に係止して前記第１の筐体に前記第２の筐体を組み付ける係止部と、前記ガイド部から前記第２の筐体の外側に突出し、かつ前記カバー部が乗り上げると前記係止部が前記被係止部に係止することを規制する規制突起と、を備えることを特徴とする。
【０００７】
また、上記電気接続箱では、前記ガイド部及び前記係止部は、前記第２の筐体の角部の近傍に設けられるものとすることができる。
【０００８】
また、上記電気接続箱では、前記規制突起の前記ガイド部からの突出量は、前記第１の筐体に前記第２の筐体が組み付けられた際に、前記被係止部に対して前記係止部が鉛直方向に直交する方向に移動可能な量よりも大きいものとすることができる。
【０００９】
また、上記電気接続箱では、前記ガイド部は、前記電線通し孔を挟む位置それぞれに設けられ、前記規制突起は、各ガイド部から前記第２の筐体の外側に突出するものとすることができる。
【００１０】
上記目的を達成するために、本発明に係るワイヤハーネスは、電子部品が組み付けられる第１の筐体と、前記第１の筐体の鉛直方向下側に組み付けられる第２の筐体と、前記第１の筐体と前記第２の筐体とのうちの少なくとも一方に設けられ、かつ前記電子部品に電気的に接続される電線を通す電線通し孔と、前記第１の筐体に設けられ、かつ前記電線通し孔を通して液体が浸入することを抑制するカバー部と、を備えた電気接続箱と、前記電線と、を備え、前記電気接続箱は、前記第２の筐体の角部の近傍に設けられ、かつ前記第１の筐体に前記第２の筐体が組み付けられる際に前記カバー部を前記第２の筐体に対して鉛直方向に案内するガイド部と、前記第２の筐体の角部の近傍に設けられ、かつ前記第１の筐体に設けられた被係止部に係止して前記第１の筐体に前記第２の筐体を組み付ける係止部と、前記ガイド部から前記第２の筐体の外側に突出し、かつ前記カバー部が乗り上げると前記係止部が前記被係止部に係止することを規制する規制突起と、を備えることを特徴とする。
【発明の効果】
【００１１】
本発明に係る電気接続箱は、カバー部を案内して位置決めするガイド部と、第１の筐体の被係止部に係止する係止部とを第２の筐体の角部の近傍に設けている。また、電気接続箱は、ガイド部から外側に突出しかつカバー部が乗り上げると係止部が被係止部に係止することを抑制する規制突起を備える。これらにより、電気接続箱は、ガイド部と係止部とが第２の筐体の角部の近傍に設けられているので、第２の筐体が変形しても、ガイド部と係止部との相対的な位置関係が変化しにくくなっている。さらに、電気接続箱は、ガイド部から外側に突出しかつカバー部が乗り上がると、仮に第２の筐体が変形しても、ガイド部と係止部との位置関係が変化しにくいので、係止部が被係止部に係止することが規制されたままとなる。この結果、電気接続箱は、電線通し孔に液体が浸入するカバー部がガイド部から外れた状態では、係止部が被係止部に係止することを規制でき、筐体同士が組み付けられることを抑制することができる、という効果を奏する。
【図面の簡単な説明】
【００１２】
【図１】図１は、実施形態に係る電気接続箱の概略構成を表す分解斜視図である。
【図２】図２は、実施形態に係る電気接続箱のカバー部と係止機構の近傍の概略構成を表す斜視図である。
【図３】図３は、図２中のＩＩＩ−ＩＩＩ線に沿う断面図である。
【図４】図４は、図２中のＩＶ−ＩＶ線に沿う断面図である。
【図５】図５は、実施形態に係る電気接続箱のカバー部が規制突起に乗り上げた状態の概略構成を表す斜視図である。
【図６】図６は、実施形態の変形例に係る電気接続箱のカバー部と係止機構の近傍の概略構成を表す斜視図である。
【図７】図７は、図６中のＶＩＩ−ＶＩＩ線に沿う断面図である。
【発明を実施するための形態】
【００１３】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１４】
［実施形態］
図１は、実施形態に係る電気接続箱の概略構成を表す分解斜視図である。図２は、実施形態に係る電気接続箱のカバー部と係止機構の近傍の概略構成を表す斜視図である。図３は、図２中のＩＩＩ−ＩＩＩ線に沿う断面図である。図４は、図２中のＩＶ−ＩＶ線に沿う断面図である。図５は、実施形態に係る電気接続箱のカバー部が規制突起に乗り上げた状態の概略構成を表す斜視図である。なお、図１は、電気接続箱の電子部品を二点鎖線で図示している。
【００１５】
本実施形態に係る図１に示す電気接続箱１は、自動車等の車両に搭載されて、バッテリなどの電源から供給される電力を各種の電子部品２等を介して、車両に搭載される各種の電子機器に分配するものである。ここで、電気接続箱１は、図１に示すように、ワイヤハーネス１５０に組み込まれ、電線１５１等の接続処理用部品を構成するコネクタ、ヒューズ、リレー、分岐部、電子制御ユニット等の電装品を集約して内部に収容するものである。電気接続箱１は、例えば、車両のエンジンルームや車体の下方部分に設置され、バッテリ等の電源と、車両内に搭載される各種電子機器との間に接続されている。なお、電気接続箱１は、ジャンクションボックス、ヒューズボックス、リレーボックスなどとも呼ばれる場合があるが、本実施形態ではこれらを総称して電気接続箱と呼ぶ。
【００１６】
図１に例示した電気接続箱１は、箱本体３の内部の収容空間部に、種々の電子部品２が収容される。箱本体３は、例えば、ボディ１０（第１の筐体に相当）、アッパカバー２０、及び、ロアカバー３０（第２の筐体に相当）等を含んで構成される。箱本体３は、ボディ１０、アッパカバー２０、及び、ロアカバー３０が分割された３層分割構造となっている。ボディ１０、アッパカバー２０、及び、ロアカバー３０は、絶縁性の合成樹脂によって形成される。ボディ１０は、電子部品２が組み付けられる収容空間部を形成する主たる部材である。ボディ１０は、略ロの字型の筒状に形成され、この電気接続箱１がエンジンルーム等に接続された状態で、鉛直方向上側、及び、鉛直方向下側に開口が位置する。本実施形態では、ボディ１０は、四つの平板状の外壁１１と、外壁１１間に設けられた四つの角部１２とを備えて、四角筒状に形成されている。アッパカバー２０は、ボディ１０の鉛直方向上側の開口を塞ぐ蓋状の部材である。ロアカバー３０は、ボディ１０に取り付けられて、ボディ１０の鉛直方向下側の開口を塞ぐ皿状（トレイ状）の部材である。本実施形態では、ロアカバー３０は、鉛直方向下側に配置される平板状の底壁３１と、底壁３１の外縁から立設した平板状の四つの外壁３２と、外壁３２間に設けられる四つの角部３３等を有して、鉛直方向下側が底壁３１により塞がれた扁平なトレイ状に形成されている。
【００１７】
箱本体３は、ボディ１０の鉛直方向上側の開口とアッパカバー２０の開口とが対向し、ボディ１０の鉛直方向下側の開口とロアカバー３０の開口とが対向するようにして、アッパカバー２０がボディ１０の鉛直方向上側に組み付けられ、ロアカバー３０がボディ１０の鉛直方向下側に組み付けられる。箱本体３は、ボディ１０に対して、種々の形式の係止機構６０を介して、アッパカバー２０、ロアカバー３０が係止される。なお、ボディ１０とアッパカバー２０とロアカバー３０とが積層される方向は、典型的には、この電気接続箱１がエンジンルーム等に接続された状態で、鉛直方向に沿っているが、当該電気接続箱１の設置状況によっては当該積層される方向が鉛直方向に対して所定の角度を有して設置される場合もある。
【００１８】
そして、この箱本体３の内部の収容空間部に組み付けられる種々の電子部品２としては、上述したように、コネクタ、ヒューズ、リレー、分岐部、電子制御ユニット等が含まれる。電気接続箱１は、ボディ１０に一体的に形成される種々の形状の区画壁１３、ボディ１０に着脱可能に組み付けられる種々の形状のブロック１４等によって形成される多数のキャビティ内に、上記種々の電子部品２が組み付けられる。この場合、区画壁１３、ブロック１４等もボディ１０等と同様に絶縁性の合成樹脂によって形成される。そして、電気接続箱１は、種々の電子部品２が組み付けられたキャビティに対して、電線通し孔４０等を介して配索されて電子部品２に接続される電線１５１の端子等が鉛直方向下側から嵌合し電気的に接続される。即ち、電気接続箱１は、電子部品２に電気的に接続される電線１５１を通す電線通し孔４０を備える。電気接続箱１は、ボディ１０等に設けられた固定ブラケット部１５が車体に固定されて、車両に搭載される。また、電気接続箱１は、電子部品２に電気的に接続される電線１５１などと、自動車等の車両に配索されるワイヤハーネス１５０を構成する。即ち、ワイヤハーネス１５０は、電気接続箱１と、電気接続箱１の電子部品２に電気的に接続される複数の電線１５１とを備える。
【００１９】
本実施形態では、電線１５１を通す電線通し孔４０は、ロアカバー３０に設けられる。具体的には、電線通し孔４０は、複数の外壁３２のうち図１及び図２中手前側の一つの外壁３２（以下、符号３２ａで示す）と底壁３１とに亘って設けられている。電線通し孔４０は、外壁３２ａの図１及び図２中手前側の一つの角部３３（以下、符号３３ａで示す）の近傍と、底壁３１の外壁３２ａの近傍とを貫通している。なお、以下、本明細書でいう、鉛直方向、鉛直方向上側、鉛直方向下側、鉛直方向上端部、鉛直方向下端部とは、電気接続箱１が車体に固定されて車両に搭載された状態における鉛直方向、鉛直方向上側、鉛直方向下側、鉛直方向の上端部、鉛直方向の下端部をいう。また、以下、本明細書でいう、外壁３２，３２ａの角部３３，３３ａの近傍とは、角部３３，３３ａから外壁３２，３２ａの鉛直方向に直交する幅方向の幅の１／２未満の範囲をいう。要するに、外壁３２，３２ａの角部３３，３３ａの近傍とは、外壁３２，３２ａの幅方向の中央を除く変形しにくい位置をいい、鉛直方向に重なる外壁１１の変形可能な量が後述の規制突起８０の突出量Ｅを下回る範囲をいう。
【００２０】
そして、箱本体３を構成するボディ１０には、電線通し孔４０を通して水などの液体が箱本体３内に浸入することを抑制するカバー部５０が一体に設けられている。即ち、電気接続箱１は、ボディ１０に設けられたカバー部５０を備える。カバー部５０は、ボディ１０の外壁１１のうち図１及び図２中手前側の一つの外壁１１（以下、符号１１ａで示す）の鉛直方向下端部から鉛直方向下側に延びている。カバー部５０は、外壁１１ａの図１及び図２中手前側の一つの角部１２（以下、符号１２ａで示す）の近傍に配置され、外壁１１ａと平行な平板状に形成されている。カバー部５０は、ボディ１０の鉛直方向下側にロアカバー３０が取り付けられると、電線通し孔４０の外壁３２ａの貫通する箇所を塞ぎ、電線通し孔４０の底壁３１を貫通する箇所内に電線１５１を通す。
【００２１】
また、ボディ１０に対してロアカバー３０を係止して組み付ける係止機構６０は、ボディ１０の外壁１１，１１ａとロアカバー３０の外壁３２，３２ａとに複数設けられている。係止機構６０は、ボディ１０の外壁１１，１１ａに設けられた被係止部６１と、ロアカバー３０に設けられた係止部６２とを備える。また、ボディ１０の角部１２ａに連なる外壁１１（以下、符号１１ｂで示す）に設けられた被係止部６１と、ロアカバー３０の角部３３ａに連なる外壁３２（以下、符号３２ｂで示す）に設けられた係止部６２とで構成される係止機構６０は、角部１２ａ，３３ａの近傍に設けられている。即ち、被係止部６１は、外壁１１ｂの角部１２ａの近傍に設けられ、係止部６２は、外壁３２ｂの角部３３ａの近傍に設けられる。
【００２２】
被係止部６１は、図２に示すように、外壁１１ａ，１１ｂの鉛直方向下端部に設けられている。被係止部６１は、図４に示すように、外壁１１ａ，１１ｂから凸の被係止突起６１ａと、被係止突起カバー６１ｂとを備える。被係止突起カバー６１ｂは、外壁１１ａ，１１ｂに一体に形成され、被係止突起６１ａの外側を覆うとともに、鉛直方向上側及び鉛直方向下側が開口した筒状に形成されている。
【００２３】
係止部６２は、被係止部６１に係止して、ボディ１０にロアカバー３０を組み付けるものである。係止部６２は、外壁３２ａ，３２ｂの鉛直方向上端部に設けられている。係止部６２は、外壁３２ａ，３２ｂの鉛直方向上端部から鉛直方向上側に延びた平板状に形成されている。係止部６２は、ボディ１０に対してロアカバー３０が取り付けられる際に、被係止部６１の被係止突起カバー６１ｂに侵入することが可能な位置及び幅に形成されている。係止部６２は、内側に被係止突起６１ａを侵入させることが可能な係止孔６２ａが貫通している。係止機構６０は、係止部６２が被係止突起カバー６１ｂ内に侵入し、係止部６２が被係止突起６１ａを乗り越えた後に、係止孔６２ａ内に被係止突起６１ａを侵入させて、ボディ１０に対してロアカバー３０を係止する。また、係止機構６０は、図４に示すように、ボディ１０に対してロアカバー３０を係止した状態で、係止部６２と被係止突起カバー６１ｂの内面との間に幅方向の隙間Ｇを設けている。なお、隙間Ｇは、ボディ１０にロアカバー３０が組み付けられた際に、被係止部６１に対して係止部６２が鉛直方向に直交する方向に移動可能な量をなしている。
【００２４】
また、電気接続箱１は、図２及び図３に示すように、ガイド部７０と、規制突起８０とを備える。ガイド部７０は、ロアカバー３０の外壁３２ａの角部３３ａの近傍に設けられ、ボディ１０にロアカバー３０を組み付ける際に、カバー部５０をロアカバー３０に対して鉛直方向に案内して位置決めするものである。ガイド部７０は、本実施形態では、二つ設けられ、外壁３２ａの電線通し孔４０を互いの間に挟む位置それぞれに設けられている。ガイド部７０は、図３に示すように、鉛直方向上側が開口し、かつ鉛直方向と平行に延びて、内側にカバー部５０の幅方向の両端を通して、カバー部５０を案内するガイド溝７１を備える。ガイド部７０は、ガイド溝７１内にカバー部５０の両端を通して、カバー部５０をロアカバー３０に対して案内するとともに、ボディ１０にロアカバー３０が組み付けられるとカバー部５０をロアカバー３０に対して位置決めする。
【００２５】
規制突起８０は、各ガイド部７０からロアカバー３０の外側に突出し、かつカバー部５０が乗り上げると係止部６２が被係止部６１に係止することを規制するものである。本実施形態では、規制突起８０は、各ガイド部７０に設けられて、二つ設けられている。規制突起８０は、ガイド部７０の鉛直方向上端部に設けられ、ガイド部７０の鉛直方向上端部から外壁３２ａに直交する水平方向に沿ってロアカバー３０の外側に突出している。規制突起８０のガイド部７０からの突出量Ｅは、前記隙間Ｇよりも大きく形成されている。また、規制突起８０の突出量Ｅは、係止部６２が被係止部６１に係止すると、カバー部５０が外壁１１ａに直交する水平方向に沿ってボディ１０の外側に変形可能な量よりも大きく形成されている。要するに、係止部６２が被係止部６１に係止すると、カバー部５０は規制突起８０に乗り上がることが規制される。なお、本明細書でいうカバー部５０が規制突起８０に乗り上げるとは、電気接続箱１が車体に固定された状態で、カバー部５０が規制突起８０の箱本体３の外側に位置することをいう。
【００２６】
このように、本実施形態では、ガイド部７０及び規制突起８０は、外壁３２ｂに設けられた係止部６２の近傍の角部３３ａに連なる外壁３２ａに設けられている。即ち、係止部６２は、外壁３２ｂの角部３３ａの近傍に設けられ、ガイド部７０及び規制突起８０は、外壁３２ａの角部３３ａの近傍に設けられている。
【００２７】
前述した構成の電気接続箱１は、電子部品２が組み付けられたボディ１０にアッパカバー２０とロアカバー３０が組み付けられるなどして組み立てられる。ボディ１０に対してロアカバー３０を組み付ける際には、ボディ１０の鉛直方向下側の開口とロアカバー３０の開口とを対向させた後、カバー部５０の幅方向の両端をガイド部７０のガイド溝７１内に侵入させて、ボディ１０に対してロアカバー３０を近づけて、被係止部６１に係止部６２を係止させる。ボディ１０に対してロアカバー３０を組み付ける際に、図５に示すように、カバー部５０の幅方向の両端がガイド部７０のガイド溝７１に侵入することなく、規制突起８０に乗り上げた際には、突出量Ｅが隙間Ｇよりも大きいので、被係止部６１の被係止突起カバー６１ｂと、係止部６２とが鉛直方向に沿って対向する。そして、ボディ１０に対してロアカバー３０を近づけても、被係止部６１の被係止突起カバー６１ｂに係止部６２が接触して、被係止突起カバー６１ｂ内に侵入できずに、被係止部６１に係止部６２が係止することが規制される。電気接続箱１は、カバー部５０がガイド部７０のガイド溝７１内から外れると、被係止部６１に係止部６２が係止することが規制され、ボディ１０に対してロアカバー３０を組み付けることが規制される。
【００２８】
組み立てられた電気接続箱１は、図示しないチェッカなどにより各係止機構６０の被係止部６１の被係止突起６１ａに対して係止部６２が確実に係止していることが確認される。その後、電気接続箱１は、電子部品２に電気的に接続された電線１５１が電線通し孔４０内に通されて配索され、固定ブラケット部１５が車体に固定されて車両に搭載される。
【００２９】
以上で説明した電気接続箱１によれば、カバー部５０を案内して位置決めするガイド部７０と、ボディ１０の被係止部６１に係止する係止部６２とをロアカバー３０の角部３３ａの近傍に設けている。また、電気接続箱１は、ガイド部７０から外側に突出しかつカバー部５０が乗り上げると係止部６２が被係止部６１に係止することを抑制する規制突起８０を備える。これらにより、電気接続箱１は、ガイド部７０と係止部６２とがロアカバー３０の角部３３ａの近傍に設けられているので、ロアカバー３０が変形しても、ガイド部７０と係止部６２が設けられた箇所の剛性が高く、ガイド部７０と係止部６２との相対的な位置が変化しにくくなっている。
【００３０】
これにより、電気接続箱１は、ガイド部７０から外側に突出した規制突起８０にカバー部５０が乗り上がると、例えロアカバー３０が変形しても、係止部６２の位置が変化しにくいので、係止部６２が被係止部６１に係止することが規制されたままとなる。この結果、電気接続箱１は、カバー部５０がガイド部７０から外れた状態では、係止部６２が被係止部６１に係止することが規制されて、ボディ１０にロアカバー３０が組み付けられることを抑制することができる、という効果を奏する。これにより、電気接続箱１は、ボディ１０とロアカバー３０とが適正に組み付けられた状態とすることができ、電線通し孔４０を介した液体の浸入をカバー部５０によって確実に抑制することができる。また、電気接続箱１は、仮に、ボディ１０にロアカバー３０が組み付けられた状態でカバー部５０がガイド部７０から外れていると、カバー部５０が規制突起８０に乗り上げる。この結果、電気接続箱１は、ボディ１０にロアカバー３０が組み付けられた状態において、カバー部５０の状態を確認することで、カバー部５０がガイド部７０から外れているか否かを把握することができる。
【００３１】
また、電気接続箱１は、規制突起８０の突出量Ｅが隙間Ｇよりも大きいので、カバー部５０がガイド部７０から外れて、規制突起８０に乗り上がると、係止部６２が被係止部６１の被係止突起カバー６１ｂに接触して、被係止突起カバー６１ｂ内に侵入することが規制される。これにより、電気接続箱１は、カバー部５０がガイド部７０から外れて、規制突起８０に乗り上がると、ボディ１０に対してロアカバー３０が固定されることを規制でき、液体の浸入をカバー部５０によって確実に抑制することができる。
【００３２】
また、電気接続箱１は、ガイド部７０が二つ設けられ、これら二つのガイド部７０が電線通し孔４０を互いの間に挟む位置に設けられているので、ボディ１０に対してロアカバー３０を取り付ける際に、ガイド部７０によりカバー部５０の幅方向の両端を案内しつつ位置決めすることができる。これにより、電気接続箱１は、ボディ１０に対してロアカバー３０が固定された後に、カバー部５０がガイド部７０から外れることを抑制することができる。
【００３３】
また、電気接続箱１は、規制突起８０が各ガイド部７０からロアカバー３０の外側に突出して、規制突起８０が電線通し孔４０を互いの間に挟む位置に設けられている。これにより、電気接続箱１は、カバー部５０がガイド部７０から外れると、いずれかの規制突起８０に確実に乗り上げることとなって、ボディ１０に対してロアカバー３０が固定されることを規制することができる。
【００３４】
以上で説明したワイヤハーネス１５０は、電気接続箱１を備えているので、カバー部５０がガイド部７０から外れると、係止部６２が被係止部６１に係止することが規制されて、ボディ１０にロアカバー３０が組み付けられることを抑制することができる、という効果を奏する。
【００３５】
［変形例］
次に、実施形態の変形例に係る電気接続箱１を図６及び図７に基づいて説明する。図６は、実施形態の変形例に係る電気接続箱のカバー部と係止機構の近傍の概略構成を表す斜視図である。図７は、図６中のＶＩＩ−ＶＩＩ線に沿う断面図である。なお、図６及び図７において、実施形態と同一部分には、同一符号を付して説明を省略する。
【００３６】
実施形態の変形例に係る電気接続箱１の電線通し孔４０は、図６及び図７に示すように、ロアカバー３０の角部３３ａに設けられ、外壁３２ａ，３２ｂの角部３３ａの近傍と底壁３１の角部３３ａの近傍とを貫通している。電線通し孔４０は、ロアカバー３０の外壁３２ａ，３２ｂの角部３３ａの近傍に鉛直方向の全長に亘って設けられている。
【００３７】
実施形態の変形例に係る電気接続箱１のカバー部５０は、ボディ１０の外壁１１ａ，１１ｂの角部１２ａの近傍の鉛直方向下端部から鉛直方向下側に延びている。実施形態の変形例に係る電気接続箱１のカバー部５０は、外壁１１ａ，１１ｂの角部１２ａの近傍から鉛直方向下側に延びて、断面形状がく字状に形成されている。実施形態の変形例に係る電気接続箱１のガイド部７０は、外壁３２ａの角部３３ａの近傍と、外壁３２ｂの角部３３ａの近傍とに設けられて、互いの間に電線通し孔４０を挟む位置に設けられている。
【００３８】
変形例に係る電気接続箱１によれば、実施形態と同様に、カバー部５０がガイド部７０から外れると、係止部６２が被係止部６１に係止することが規制されて、ボディ１０にロアカバー３０が固定されることを抑制することができる、という効果を奏する。
【００３９】
なお、本発明に係る電気接続箱１は、上述した実施形態に限定されず、特許請求の範囲に記載された範囲で種々の変更が可能である。例えば、本発明に係る電気接続箱１は、箱本体３のボディ１０とアッパカバー２０とを一体に形成して、箱本体３を２層分割構造としてもよい。本発明では、電線通し孔４０をボディ１０の鉛直方向下端部に設けてもよく、ボディ１０の鉛直方向下端部とロアカバー３０との双方に設けてもよい。要するに、本発明では、電線通し孔４０をボディ１０とロアカバー３０とのうち少なくとも一方に設ければよい。本発明では、実施形態のように電線通し孔４０、カバー部５０を角部１２ａ，３３ａをまたがることなく一つの外壁１１ａ，３２ａに設けてもよく、変形例のように電線通し孔４０、カバー部５０を角部１２ａ，３３ａをまたがって外壁１１ａ，１１ｂ，３２ａ，３２ｂに亘って設けてもよい。本発明では、実施形態のようにガイド部７０及び規制突起８０を一つの外壁３２ａに設けてもよく、変形例のようにガイド部７０及び規制突起８０を外壁３２ａ，３２ｂそれぞれに設けてもよい。さらに、本発明では、係止部６２、被係止部６１の構成を種々変更してもよい。
【符号の説明】
【００４０】
１    電気接続箱
２    電子部品
３    箱本体  
１０    ボディ（第１の筐体）
３０    ロアカバー（第２の筐体）
３３，３３ａ    角部
４０    電線通し孔
５０    カバー部
６１    被係止部
６２    係止部
７０    ガイド部
８０    規制突起
１５０    ワイヤハーネス
１５１    電線
Ｅ    突出量
Ｇ    隙間（移動可能な量）
【図１】
0006469510.tif 000002
【図２】
0006469510.tif 000003
【図３】
0006469510.tif 000004
【図４】
0006469510.tif 000005
【図５】
0006469510.tif 000006
【図６】
0006469510.tif 000007
【図７】
0006469510.tif 000008